(57)【要約】【課題】  部品点数の増加などに起因した構造の複雑化及び組み付け性やメンテナンス性の低下を招くことなく、刈り取り性能及び刈り取り精度の向上を図れるようにする。【解決手段】  モーアデッキ１の内部に縦軸心周りに回転可能に装備されるブレードにおいて、回転方向前側の縁に切刃９ａが形成された複数の刈刃部９を、それらの各切刃９ａが同じ高さ位置に位置するように高さ設定した状態で、延出端側に回転方向に並設するとともに、回転方向前側の刈刃部９Ａから回転方向後側の刈刃部９Ｂの上方に向けて起風部１０を延出してある。【選択図】        図５
2006262868.tif 000002
【特許請求の範囲】
【請求項１】
モーアデッキの内部に縦軸心周りに回転可能に装備されるブレードであって、
回転方向前側の縁に切刃が形成された複数の刈刃部を、それらの各切刃が同じ高さ位置に位置するように高さ設定した状態で、延出端側に回転方向に並べて設けるとともに、回転方向前側の刈刃部から回転方向後側の刈刃部の上方に向けて起風部を延出してあるブレード。
【請求項２】
前記起風部の下方に位置する刈刃部を、前記起風部からその延出方向と交差する方向に延出した延出部の前記起風部の下方への折り曲げで形成してある請求項１に記載のブレード。
【発明の詳細な説明】
【技術分野】
【０００１】
本発明は、モーアデッキの内部に縦軸心周りに回転可能に装備されるブレードに関する。
【背景技術】
【０００２】
上記のようなブレードとしては、例えば、その各延出端側に、回転方向前側の縁に切刃が形成された単一の刈刃部を備え、かつ、その刈刃部で刈り取った刈草の搬送や倒伏した草類の引き起こしなどを行う風を生起する起風部を設けた状態で、モーアデッキの内部に装備されるもの（例えば特許文献１参照）、その各延出端側に単一の刈刃部を備えた状態で、モーアデッキの内部に上下に並設されるもの（例えば特許文献２参照）、あるいは、その各延出端側に単一の刈刃部と起風部とを備えた状態で、モーアデッキの内部に、上下に、上側のブレードの刈刃部が下側のブレードの刈刃部よりも回転方向前側に位置する位相差を有するように並設されるもの（例えば特許文献３参照）などがある。
【特許文献１】特開平８−５１８３１号公報
【特許文献２】特開２００３−１８０１１８号公報
【特許文献３】特開平９−１８７１３８号公報
【発明の開示】
【発明が解決しようとする課題】
【０００３】
各延出端側に単一の刈刃部と起風部を備えたブレードを装備するだけの従来構造では、一般的なブレードは、その切刃が、バーブレードの回転軸心である縦軸心を中心とする放射線に対して後退角、つまり、刈り取り作用時に刈り取り対象の草類を刈り取り領域外に押し逃がす分力を発生させる逃げ角を有することから、その逃げ角に起因した刈り残しが刈刃部の延出端において発生し易くなる。又、この従来構造では、一方の延出端側に備えた刈刃部は、バーブレードの他方の延出端側に設けた起風部による起風で引き起こした草類を刈り取ることになり、そのため、刈刃部が刈り取り作用する際には、草類に対する起風部の起風による引き起こし力が低下した状態となり、結果、倒れ易い濡れた草類や腰の弱い草類などを刈り取る際に、刈刃部が刈り取り対象の草類を刈り取り領域外に押し逃がす、あるいは押し倒すことに起因した刈り残しが生じ易くなる。
【０００４】
又、各延出端側に単一の刈刃部を備えたブレードを上下に並設する従来構造では、二段刈りによる細断を行えるものの、前述した前者の構成のものと同様に逃げ角を有することから、その逃げ角に起因した刈り残しが刈刃部の延出端において発生し易くなる。又、この従来構造では、起風部の起風による草類の引き起こしが行われていないことから、刈刃部が刈り取り対象の草類を刈り取り領域外に押し逃がす、あるいは押し倒すことに起因した刈り残しが生じ易くなる。しかも、この従来構造では、２枚のブレードを上下に並設するために、上側の刈刃部で刈り取られた草類に対して下側の刈刃部が適切に作用しなかった場合には、刈り高さが不揃いになり、しかも、２枚のブレードを、所定の上下間隔と回転位相を有するように、共通の回転軸に組み付ける必要があることから、部品点数の増加などに起因した構造の複雑化及び組み付け性やメンテナンス性の低下を招くことになる。
【０００５】
一方、各延出端側に単一の刈刃部と起風部を備えたブレードを、上下に、上側のブレードの刈刃部が下側のブレードの刈刃部よりも回転方向前側に位置する位相差を有するように並設する従来構造では、草類に対しては、先に上側のブレードの刈刃部が作用した直後に、下側のブレードの刈刃部が作用することから、刈草の細断が可能となり、又、上下に並設する２枚のブレードのそれぞれが前述した前者の構成のものと同様に逃げ角を有するものの、下側のブレードの刈刃部は、上側のブレードの起風部による起風で引き起こされた直後の引き起こし力が十分な草類に刈り取り作用することから、倒れ易い濡れた草類や腰の弱い草類などを刈り取る際においても、刈刃部が刈り取り対象の草類を刈り取り領域外に押し逃がす、あるいは押し倒すことに起因した刈り残しが生じ難くなるのであるが、２枚のブレードを上下に並設するために、上側の刈刃部で刈り取られた草類に対して下側の刈刃部が適切に作用しなかった場合には、刈り高さが不揃いになり、しかも、２枚のブレードを、所定の上下間隔を有し、かつ、それらの回転方向に所定の位相差を有するように、共通の回転軸に組み付ける必要があることから、部品点数の増加などに起因した構造の複雑化及び組み付け性やメンテナンス性の低下を招くことになる。
【０００６】
本発明の目的は、部品点数の増加などに起因した構造の複雑化及び組み付け性やメンテナンス性の低下を招くことなく、刈り取り性能及び刈り取り精度の向上を図れるようにすることにある。
【課題を解決するための手段】
【０００７】
本発明のうちの請求項１に記載の発明では、モーアデッキの内部に縦軸心周りに回転可能に装備されるブレードにおいて、回転方向前側の縁に切刃が形成された複数の刈刃部を、それらの各切刃が同じ高さ位置に位置するように高さ設定した状態で、延出端側に回転方向に並べて設けるとともに、回転方向前側の刈刃部から回転方向後側の刈刃部の上方に向けて起風部を延出してある。
【０００８】
この構成によると、草類に対しては、回転方向前側の刈刃部が作用した直後に、回転方向後側の刈刃部が作用することになり、又、回転方向後側の刈刃部は、回転方向前側の刈刃部から回転方向後側の刈刃部の上方に向けて延出した起風部による起風で引き起こされた直後の引き起こし力が十分な草類に刈り取り作用することになる。
【０００９】
そのため、回転方向最前の刈刃部が作用する際には、草類に対する起風部の起風による引き起こし力が低下した状態となって、その刈刃部が刈り取り対象の草類を刈り取り領域外に押し逃がす、あるいは押し倒すことによる刈り残しが生じたとしても、その刈り残された草類は、回転方向最前の刈刃部から延出した起風部で生起される風によって、刈り取り領域内に引き戻された状態で起立し、その起立直後に回転方向後側の刈刃部の作用を受けて刈り取られる。
【００１０】
又、各刈刃部の切刃が同じ高さ位置に位置することで、いずれかの刈刃部による刈り取りが行われることで刈り高さを揃えることができる。
【００１１】
しかも、ブレードの延出端側に複数の刈刃部を並設することで、複数枚のブレードを共通の回転軸に予め設定した取り付け状態が得られるように取り付ける必要がないことから、部品点数の増加などに起因した構造の複雑化及び組み付け性やメンテナンス性の低下を回避できる。
【００１２】
従って、部品点数の増加などに起因した構造の複雑化及び組み付け性やメンテナンス性の低下を招くことなく、刈り残しが生じ難く刈り揃えを良好に行える刈り取り性能及び刈り取り精度の向上が図られたものにできる。
【００１３】
本発明のうちの請求項２に記載の発明では、上記請求項１に記載の発明において、前記起風部の下方に位置する刈刃部を、前記起風部からその延出方向と交差する方向に延出した延出部の前記起風部の下方への折り曲げで形成してある。
【００１４】
この構成によると、起風部とその下方に位置する刈刃部とを一体形成することから、それらを個別に形成して組み付ける場合に比較して部品点数を削減できる。
【００１５】
又、起風部から延出した延出部の折り曲げで刈刃部を形成する上において、例えば、起風部からその延出方向に更に延出した延出部の起風部の下方への折り曲げで形成すると、起風部とその下方に位置する刈刃部とにわたる連接部が、ブレードの回転方向と直行する姿勢になって、ブレードを回転駆動する際の駆動抵抗になるとともに、回転方向後側の刈刃部上での刈草の堆積を招き易くし、又、草類の起立を促進させる起風部の下面に沿った風の流動を阻害するようになり、結果、刈り取り性能の低下を招くことになるが、請求項２に記載の発明による構成では、起風部とその下方に位置する刈刃部とにわたる連接部が、ブレードの回転方向に略沿った姿勢になることで、その連接部がブレードの駆動抵抗になる不都合や回転方向後側の刈刃部上に刈草を堆積させる虞を招き難く、又、草類の起立を促進させる起風部の下面に沿った風の流動を阻害しないことから、起風部から延出した延出部の折り曲げで刈刃部を形成することに起因した刈り取り性能の低下を回避できる。
【００１６】
従って、刈り残しが生じ難く刈り揃えを良好に行える高い刈り取り性能及び刈り取り精度を確保しながら、部品点数の削減による構造の簡素化及び組み付け性やメンテナンス性の向上を図れる。
【発明を実施するための最良の形態】
【００１７】
図１にはモーアの全体平面が、又、図２にはその全体底面が、図３にはその縦断側面がそれぞれ示されており、このモーアは、天井面が扁平に形成されたフラットデッキ型のモーアデッキ１の内部に、縦軸心周りに回転可能な３枚のブレード２を、対応する縦向きの回転軸３などを介して左右に並列配備し、モーアデッキ１の内部前側に、各ブレード２における一対の延出端が描く回転軌跡の前部側に沿う波状に形成したバッフルプレート４を装備し、モーアデッキ１の内部後側に、各ブレード２における一対の延出端が描く回転軌跡の後部側に沿う波状に形成したバキュームプレート５を装備し、モーアデッキ１の右端に刈草排出用の排出口６を形成したサイドディスチャージ式で、モーアデッキ１の上部に配備した入力部７に入力された動力を、ベルト式の動力分配機構８を介して各回転軸３に伝達して、各ブレード２を縦軸心周りに回転駆動するように構成されている。
【００１８】
尚、３枚のブレード２は、左右中央のブレード２が左右のブレード２よりも前寄りに位置する三角配置で、隣り合うブレード２の延出端が描く回転軌跡の一部が左右方向で重複するように配置設定されている。
【００１９】
図２〜５に示すように、各ブレード２は、その回転中心から離れる一対の延出端側に、その回転に伴って草類を刈り取る一対の刈刃部９と、刈り取った刈草の搬送や倒伏した草類の引き起こしなどを行う風を生起する一対の起風部１０とが一体形成されている。
【００２０】
各延出端側において、一対の刈刃部９は、それらの回転方向前側の縁に形成した切刃９ａの高さ位置が同じになるように高さ設定した状態で、回転方向に予め設定した前後間隔を有するように、又、それらの切刃９ａが平行になるように、回転方向の前後に並べて近接配置され、更に、各切刃９ａの延出端が同じ回転軌跡を描くように形成されている。
【００２１】
そして、回転方向前側に配置される刈刃部９Ａは、ブレード２の回転中心側に連なる状態に一体形成され、この刈刃部９Ａの後端から後上方に向けて湾曲延出する状態に一方の起風部１０Ａが一体形成され、回転方向後側に配置される刈刃部９Ｂは、その一方の起風部１０Ａからその延出方向と交差する径方向外方に延出した延出部１１を起風部１０Ａの下方に向けて折り曲げることで、起風部１０Ａの外側縁に、回転方向に略沿った縦向きの連接部１２を介して連なる状態に一体形成され、この刈刃部９Ｂの後端から後上方に向けて湾曲延出する状態に他方の起風部１０Ｂを一体形成してある。
【００２２】
つまり、回転方向前側に配置される刈刃部９Ａから延出した一方の起風部１０Ａの真下に、回転方向後側に配置される刈刃部９Ｂと他方の起風部１０Ｂとが配置されている。
【００２３】
以上の構成から、各ブレード２を回転駆動させた草刈り時には、草類に対して回転方向前側の刈刃部９Ａが作用した直後に回転方向後側の刈刃部９Ｂが作用することになり、又、回転方向後側の刈刃部９Ｂは、回転方向前側の刈刃部９Ａから回転方向後側の刈刃部９Ｂの上方に向けて延出した起風部１０Ａで生起される風で引き起こされた直後の引き起こし力が十分な草類に刈り取り作用することになり、これによって、回転方向前側の刈刃部９Ａが作用する際には、草類に対する起風部１０Ａ，１０Ｂの起風による引き起こし力が低下した状態となって、その前側の刈刃部９Ａが刈り取り対象の草類を刈り取り領域外に押し逃がす、あるいは押し倒すことによる刈り残しが生じたとしても、その刈り残された草類は、回転方向前側の刈刃部９Ａから延出した起風部１０Ａの下面に沿って流動する風によって、刈り取り領域内に引き戻された状態で起立し、その起立直後に回転方向後側の刈刃部９Ｂの作用を受けて刈り取られることになる。
【００２４】
しかも、回転方向後側の刈刃部９Ｂにも、その後端から後上方に向けて延出する起風部１０Ｂを一体形成することで、回転方向前側の刈刃部９Ａから延出した起風部１０Ａの下面に沿って流動する風の流速や流量を高めることができ、回転方向前側の刈刃部９Ａで刈り残された草類の刈り取り領域内への引き戻し起立をより強力かつ速やかに、又、回転方向後側の刈刃部９Ｂで刈り取った刈草の搬送をより円滑かつ確実に行えるようになり、回転方向後側の刈刃部９Ｂによる回転方向前側の刈刃部９Ａで刈り残された草類の刈り取りをより確実に行えるとともに、回転方向前側の刈刃部９Ａから延出した起風部１０Ａと、回転方向後側の刈刃部９Ｂやこの刈刃部９Ｂから延出した起風部１０Ｂとの間で刈草が詰まる虞を効果的に回避できる。
【００２５】
更に、回転方向後側の刈刃部９Ｂは、その切刃９ａを回転方向前側の刈刃部９Ａに形成した切刃９ａと平行になるように形成したことで、バーブレード２の回転軸心である縦軸心を中心とする放射線に対して、その延出端側ほど回転方向前側に位置する前進角θ、つまり、刈り取り作用時に刈り取り対象の草類を刈り取り領域内に押し戻す分力を発生させる角度を有するようになることから、回転方向前側の刈刃部９Ａで刈り残された草類の回転方向後側の刈刃部９Ｂによる刈り取りをより確実に行える。
【００２６】
そして、各刈刃部９Ａ，９Ｂを、それらの切刃９ａが同じ高さ位置に位置するように高さ設定したことで、刈り取り後の刈り高さを均一に揃えることができる。
【００２７】
つまり、刈り残しが生じ難い高い刈り取り性能で、かつ、刈り揃えを良好に行える高い刈り取り精度で草類の刈り取りを行える。
【００２８】
〔別実施形態〕
以下、本発明の別実施形態を列記する。
〔１〕ブレード２としては、その延出端側に３つ以上の刈刃部９を回転方向に並設するものであってもよい。
【００２９】
〔２〕ブレード２としては、回転軸３と一体回転するディスクに、このディスクから外方に向けて延出する状態に連結されるものであってもよい。
【００３０】
〔３〕回転方向後側の刈刃部９Ｂに、その後端から後上方に向けて延出する起風部１０Ｂを一体形成しないようにしてもよい。
【００３１】
〔４〕図６及び図７に示すように、回転方向前側の刈刃部９Ａから延出した起風部１０Ａに通風口１０ａを形成して、その起風部１０Ａの下面側から通風口１０ａを通って上方に向けて流動する風が生起されるとともに、その風で、回転方向前側の刈刃部９Ａで刈り残された草類の刈り取り領域内への引き戻し起立をより強力かつ速やかに行えるようにして、回転方向後側の刈刃部９Ｂによる回転方向前側の刈刃部９Ａで刈り残された草類の刈り取りをより確実に行えるようにしてもよい。
【００３２】
〔５〕回転方向後側の刈刃部９Ｂを、その切刃９ａが回転方向前側の刈刃部９Ａに形成した切刃９ａと平行にならないように形成してもよい。
【００３３】
〔６〕図８及び図９に示すように、回転方向後側の刈刃部９Ｂを、起風部１０Ａからその延出方向と交差する径方向内方に延出した延出部１１を起風部１０Ａの下方に向けて折り曲げることで、起風部１０Ａの内側縁に、回転方向に略沿った縦向きの連接部１２を介して連なる状態に一体形成してもよい。
【００３４】
〔７〕図８に示すように、前後の刈刃部９Ａ，９Ｂを、回転方向後側の刈刃部９Ｂに形成した切刃９ａの延出端が描く回転軌跡が、回転方向前側の刈刃部９Ａに形成した切刃９ａの延出端が描く回転軌跡よりも大きくなるように形成して、回転方向後側の刈刃部９Ｂによる回転方向前側の刈刃部９Ａで刈り残された草類の刈り取りをより確実に行えるようにしてもよい。
【００３５】
〔８〕回転方向後側の刈刃部９Ｂを別形成して、回転方向前側の刈刃部９Ａから延出した起風部１０Ａに連結するようにしてもよい。
【図面の簡単な説明】
【００３６】
【図１】モーアの全体平面図
【図２】モーアの全体底面図
【図３】モーアの縦断側面図
【図４】ブレードの平面図
【図５】ブレードにおける延出端側の縦断側面図
【図６】別実施形態〔４〕のブレードの形状を示す要部の平面図
【図７】別実施形態〔４〕のブレードの形状を示すブレードの縦断側面図
【図８】別実施形態〔６〕及び〔７〕のブレードの形状を示す要部の平面図
【図９】別実施形態〔６〕のブレードの形状を示すブレードの縦断側面図
【符号の説明】
【００３７】
１    モーアデッキ
９    刈刃部
９Ａ  刈刃部  回転方向前側
９Ｂ  刈刃部  回転方向後側
９ａ  切刃
１０  起風部
１１  延出部
【図１】
2006262868.tif 000003
【図２】
2006262868.tif 000004
【図３】
2006262868.tif 000005
【図４】
2006262868.tif 000006
【図５】
2006262868.tif 000007
【図６】
2006262868.tif 000008
【図７】
2006262868.tif 000009
【図８】
2006262868.tif 000010
【図９】
2006262868.tif 000011